(57)【要約】      （修正有）【課題】乳幼児が転倒した際に、後頭部を保護でき、かつ乳幼児が遊び道具として使用しても安全に使用することができる転倒保護具、及び、縫いぐるみを提供する。【解決手段】転倒保護具１００は、クッション部本体１１０と肩紐連結手段１２１を備え、人型もしくは動物型を模した外観形状を有したクッション部本体１１０が、乳幼児の背面側から背負われた状態で少なくとも乳幼児の背面及び後頭部を覆い、クッション部本体１１０を乳幼児に固定するための肩紐１２０を、肩紐連結手段１２１が着脱自在に連結する。【選択図】図１
0003228838.tif 000002
【実用新案登録請求の範囲】
【請求項１】
背負うことで転倒時における乳幼児の後頭部を保護する転倒保護具において、
前記乳幼児の背面側から背負われた状態で少なくとも前記乳幼児の背面及び後頭部を覆い、人型もしくは動物型を模した外観形状を有したクッション部本体と、
前記クッション部本体を前記乳幼児に固定するための肩紐を、着脱自在に連結するための肩紐連結手段と、
を備えることを特徴とする転倒保護具。
【請求項２】
前記肩紐連結手段は、
前記乳幼児の身体の大きさに合わせて、前記肩紐と前記クッション部本体とを連結する位置を変更可能な少なくとも２箇所に設けられること、
を特徴とする請求項１記載の転倒保護具。
【請求項３】
前記肩紐は、
前記肩紐の長さを調節するための長さ調節機構、
を備えることを特徴とする請求項１記載の転倒保護具。
【請求項４】
前記肩紐連結手段は、
前記クッション部本体に設けられた環状の環状体と、
前記肩紐の端部を前記環状体にくぐらせて、前記肩紐同士を結合する留め具と、
を備えることを特徴とする請求項１記載の転倒保護具。
【請求項５】
前記肩紐連結手段は、
前記クッション部本体に設けられた連結具と、
前記肩紐に設けられた被連結具と、
を備え、
前記クッション部本体の内部に前記連結具を収容する連結具収容部、
を備えることを特徴とする請求項１記載の転倒保護具。
【請求項６】
前記肩紐連結手段は、
前記クッション部本体に設けられた環状の環状体と、
一端側に設けられた穴に前記肩紐の端部が連結される穴部と、前記環状体に引っ掛けられ、他端側に設けられた鉤状の鉤部と、を備えるＺカンと、
を備えることを特徴とする請求項１記載の転倒保護具。
【請求項７】
前記肩紐は、
前記肩紐連結手段を介して、左右一対にして前記クッション部本体に連結され、
左右一対にして連結された前記肩紐を連結して固定する固定ベルト、
を備えることを特徴とする請求項１記載の転倒保護具。
【請求項８】
前記クッション部本体と、前記乳幼児の後頭部とが接触する位置に設けられて、前記乳幼児の後頭部を支える後頭部保護部、
を備えることを特徴とする請求項１記載の転倒保護具。
【請求項９】
前記後頭部保護部は、
円形又はドーナツ状のクッション材であること、
を特徴とする請求項８記載の転倒保護具。
【請求項１０】
前記後頭部保護部は、
前記人型もしくは動物型を模した外観形状のうち、頭部にあたる部位に設けられること、
を特徴とする請求項８記載の転倒保護具。
【請求項１１】
前記クッション部本体は、
内部に収容物を収容するための収容部、
を備えることを特徴とする請求項１記載の転倒保護具。
【請求項１２】
前記収容部に収容される、柔軟性を備えた充填材、
を備えることを特徴とする請求項１１記載の転倒保護具。
【請求項１３】
前記収容部は、
前記人型もしくは動物型を模した外観形状のうち、腹部にあたる部位に設けられること、
を特徴とする請求項１１記載の転倒保護具。
【請求項１４】
前記乳幼児が使用する備品を前記クッション部本体に連結するための備品連結手段、
を備えることを特徴とする請求項１記載の転倒保護具。
【請求項１５】
前記備品連結手段は、
前記人型もしくは動物型を模した外観形状のうち、手足にあたる部分に設けられること、
を特徴とする請求項１４記載の転倒保護具。
【請求項１６】
乳幼児が使用する縫いぐるみにおいて、
前記乳幼児の背面側から背負われた状態で少なくとも前記乳幼児の背面及び後頭部を覆い、人型もしくは動物型を模した外観形状を有した縫いぐるみ本体と、
前記縫いぐるみ本体を前記乳幼児に固定するための肩紐を、着脱自在に連結するための肩紐連結手段と、
を備えることを特徴とする縫いぐるみ。
【考案の詳細な説明】
【技術分野】
【０００１】
本考案は、転倒保護具、及び、縫いぐるみに関し、特に背負うことで転倒時における乳幼児の後頭部を保護する転倒保護具及び、縫いぐるみに関する。
【背景技術】
【０００２】
子ども、特に乳幼児は、身体に対して頭部が大きいため、バランスが取りにくい。このため、子どもは転倒しやすい傾向にある。また歩き始めた子どもは、好奇心が旺盛なため、たとえば自分の背丈よりも高いところに登って落下したり、速く目的の場所に辿り着こうとして転んだりすることがある。転倒した際に、頭を打ってしまうと、脳震盪や頭蓋内で出血が生じる場合もある。
【０００３】
そこで、乳幼児の転倒を防止し、急な飛び出しをさせることなく、使用時の外見の違和感を低減させた幼児の歩行用安全ベルトが開発されている（たとえば、特許文献１参照）。
【０００４】
具体的に、特許文献１で開示された歩行用安全ベルトは、着用時に、左肩上部、左肩前部及び左脇の下を通る第１のベルトと、右肩上部、右肩前部及び右脇の下を通る第２のベルトを備えている。
【０００５】
また、胴囲又は胸囲を囲繞し長さ調節をするアジャスタと開閉可能にするフックを備えた第３のベルトと、首後部に幼児の頭を越えない長さの環状の第４のベルトを備えており、第１から第４のベルトが背部の結合部で結合されている。さらに、その結合部を背部から覆うように、縫いぐるみ又はリュックからなるクッション材が設けられている。
【０００６】
これにより、保護者は第４のベルトを把持して幼児と並行して歩くことができる。このとき第４のベルトを緊張させることなく把持することで、幼児はあたかも自分一人で歩いているかのように、自分の足で思うままに歩くことができ、幼児の欲求を十分満足させることができる。
【０００７】
また、幼児が転倒したり、急に道路へ飛び出そうとしたりするようなときには、保護者自身、無理のない安定した姿勢で第４のベルトを持ち上げるだけで、幼児を保護することができる。
【０００８】
さらに、幼児は首の後ろ側から保護者によって支えられるので、起立した状態で拘束されることになる。このため、幼児の転倒を防止することができる。
また、クッション材により見た目がほほえましくなることに加えて、仮に幼児が保護者から離れて行動し、後ろ向きに転倒したとしても、背中及び頭部を保護することができる。
【０００９】
また第１から第３のベルトにより幼児が歩行用安全ベルトからすり抜ける事態を確実に防ぐことができる。第３のベルトにたとえばワンタッチ式のフックを設けることで、安全ベルトの装着が容易となる。また、ベルトにアジャスタを設けることで、いかなる幼児の体型にも適合させることができ、幼児に負担のかからない最適な寸法に調節できる。
【００１０】
さらに、第１のベルト、第２のベルト、第３のベルト及び第４のベルトを、クッション材を通じて、又はクッション材の内部で互いに強固に結合させることにより、形状の保持ができ、また、外部からベルトの物々しさを隠すことができる。
【先行技術文献】
【特許文献】
【００１１】
【特許文献１】特開平１０−１１３２５７号公報
【考案の概要】
【考案が解決しようとする課題】
【００１２】
しかし、この歩行用安全ベルトは、複数のベルトを備えているため、保護者の目の届かないときに、乳幼児が歩行用安全ベルトを手にして遊んでしまうと、ベルトが乳幼児に絡まって怪我をする危険性があった。
【００１３】
上記のように、特許文献１で開示された歩行用安全ベルトは、背部に縫いぐるみからなるクッション材が設けられている。これにより、見た目がほほえましくなる。しかし、縫いぐるみが可愛いがゆえに、乳幼児の興味も歩行用安全ベルトに向いてしまうことになる。
【００１４】
たとえば、歩行用安全ベルトを家に保管しており、その保管された歩行用安全ベルトを乳幼児が発見し、背部に取り付けられた縫いぐるみを、遊び道具として遊んでしまった場合を考えてみる。この歩行用安全ベルトは、第１のベルト、第２のベルト、第３のベルト及び第４のベルトと、多くのベルトを備えている。
【００１５】
このため、乳幼児が縫いぐるみ背部に設けられた安全ベルトで遊んでいる際に、これらのベルトが身体や首に巻き付いてしまい、ベルトが絡まることで転倒して怪我をしたり、最悪の場合にはベルトが首に絡まることで窒息死したりする可能性もある。
【００１６】
とはいえ、乳幼児の興味を向かせないように、縫いぐるみからなるクッション材を取り外してしまえば、せっかくの可愛らしさを失ってしまうどころか、乳幼児が転倒した際の保護もできなくなってしまうことになる。
【００１７】
本考案はこのような点に鑑みてなされたものであり、乳幼児が転倒した際に、後頭部を保護でき、かつ乳幼児が遊び道具として使用しても安全に使用することができる転倒保護具、及び縫いぐるみを提供することを目的とする。
【課題を解決するための手段】
【００１８】
本考案では上記問題を解決するために、背負うことで転倒時における乳幼児の後頭部を保護する転倒保護具において、前記乳幼児の背面側から背負われた状態で少なくとも前記乳幼児の背面及び後頭部を覆い、人型もしくは動物型を模した外観形状を有したクッション部本体と、前記クッション部本体を前記乳幼児に固定するための肩紐を、着脱自在に連結するための肩紐連結手段とを備えることを特徴とする転倒保護具が提供される。
【００１９】
これにより、人型もしくは動物型を模した外観形状を有したクッション部本体が、乳幼児の背面側から背負われた状態で少なくとも乳幼児の背面及び後頭部を覆い、クッション部本体を乳幼児に固定するための肩紐を、肩紐連結手段が着脱自在に連結する。
【００２０】
また、本考案では、乳幼児が使用する縫いぐるみにおいて、前記乳幼児の背面側から背負われた状態で少なくとも前記乳幼児の背面及び後頭部を覆い、人型もしくは動物型を模した外観形状を有した縫いぐるみ本体と、前記縫いぐるみ本体を前記乳幼児に固定するための肩紐を、着脱自在に連結するための肩紐連結手段とを備えることを特徴とする縫いぐるみが提供される。
【００２１】
これにより、人型もしくは動物型を模した外観形状を有したクッション部本体が、乳幼児の背面側から背負われた状態で少なくとも乳幼児の背面及び後頭部を覆い、クッション部本体を乳幼児に固定するための肩紐を、肩紐連結手段が着脱自在に連結する。
【考案の効果】
【００２２】
本考案の転倒保護具、及び縫いぐるみによれば、人型もしくは動物型を模した外観形状を有したクッション部本体が、乳幼児の背面側から背負われた状態で少なくとも乳幼児の背面及び後頭部を覆い、クッション部本体を乳幼児に固定するための肩紐を、肩紐連結手段が着脱自在に連結するので、乳幼児が転倒した際に乳幼児の後頭部を地面などに打ち付けてしまうことから保護することができる。
【００２３】
また、乳幼児に背負わせるための肩紐が、着脱自在に肩紐連結手段がクッション材と連結されるため、肩紐を取り外すことで、人型もしくは動物型を模した外観形状を有したクッション部本体を縫いぐるみとして使用できる。これにより、乳幼児が人型もしくは動物型を模した外観形状を有したクッション部本体を遊び道具として使用したとしても、肩紐が乳児の身体にからまることない。すなわち、安全に遊び道具としても使用することができる。
【図面の簡単な説明】
【００２４】
【図１】本実施の形態に係るリュックを示す正面図、及び背面側からの斜視図である。
【図２】小さな乳幼児が背負うために、肩紐をクッション部本体に連結した様子を示す背面側からの斜視図である。
【図３】大きく成長した乳幼児が背負うために、肩紐をクッション部本体に連結した様子を示す背面側からの斜視図である。
【図４】備品連結手段に備品を連結した状態を示す正面図である。
【図５】リュックが有する収容部に収容物を収容する様子を示す背面側からの斜視図である。
【図６】肩紐を取り外した状態のリュックを示す正面図、及び背面側からの斜視図である。
【図７】肩紐連結手段の詳細を示す背面側からの斜視図である。
【図８】肩紐連結手段収容部に肩紐連結手段を収容した状態を示す正面図、及び背面側からの斜視図である。
【考案を実施するための形態】
【００２５】
以下、本考案の実施の形態を、図面を参照して詳細に説明する。
図１は、本実施の形態に係るリュックを示す正面図、及び背面側からの斜視図である。
図１に示すように転倒保護リュック１００は、クッション部本体１１０、肩紐１２０、及び備品連結手段１３０を備えている。
【００２６】
クッション部本体１１０は、内部に綿材などのクッション材が充填された袋体であって、転倒した際の幼児の身体を保護するためのものである。また、クッション部本体１１０の形状は、転倒保護リュック１００の利用者である乳幼児が好む形状で形成される。
【００２７】
クッション部本体１１０の形状は、たとえば、全体で動物や人形、キャラクター、乗り物などを模した形状で形成される。これにより、乳幼児が愛着を持って転倒保護リュック１００を利用することができる。本実施の形態でのクッション部本体１１０は、全体でクマの形状を模した縫いぐるみであり、頭部１１１、胴体部１１２、腕部１１３、及び脚部１１４で構成されてる。また、頭部１１１、胴体部１１２、腕部１１３、及び脚部１１４は、接続する関節部分を、それぞれ独立可動に接続することができる。
【００２８】
また、クッション部本体１１０は、たとえば線ファスナー、面ファスナー、ボタンなどの留め具によって自在に開閉できる開閉部１１５を備えている。開閉部１１５には、クッション部本体１１０の内側に袋状の収容部１１６が接続されている。
【００２９】
開閉部１１５及び収容部１１６は、クッション部本体１１０の形状に合わせて任意の場所に設けることができる。本実施の形態では、クマの形状をしたクッション部本体１１０における胴体部１１２と腕部１１３と接合部付近に開閉部１１５が設けられ、胴体部１１２、特にクマの腹部付近に渡って収容部１１６が形成される。これにより、開閉部１１５が、胴体部１１２と腕部１１３との間に隠れ、審美性を損なうことがない。
【００３０】
収容部１１６には、保護者の選択によって任意のものが収容できる。たとえば乳幼児に必要なオムツ、哺乳瓶などを収容し、それらを収容した転倒保護リュック１００を乳幼児に背負わせることで、子供の自立心を育てることができる。
【００３１】
また、特に収容物がない場合は、クッション部本体１１０に充填されているものと同様のクッション材を収容部１１６に出し入れ自在に収容することができる。このように収容部１１６にクッション材を収容することで、クッション部本体１１０の全体の形状が丸みを帯び、可愛らしさを向上することができる。また、クッション材が増加することで、転倒時の衝撃をより和らげることができる。
【００３２】
なお、本実施の形態では、収容部１１６をクッション部本体１１０内部の一部に形成する例で説明したが、クッション部本体１１０全体を収容部１１６として形成することもできる。これにより収容部１１６に収容可能な容量を大きくすることができる。
【００３３】
クッション部本体１１０の背面側には、乳幼児が転倒保護リュック１００を背負ったときに後頭部と接触する部分に、後頭部保護部１１７が形成される。本実施の形態では、頭部１１１の背面側に後頭部保護部１１７が形成される。
【００３４】
後頭部保護部１１７は、乳幼児の頭部の大きさに合わせた円形又はドーナツ状のクッション材であって、頭部１１１の背面側の縁に合わせて設けられる。つまり、頭部１１１の大きさは、乳幼児の頭の大きさに合わせた大きさで形成される。
【００３５】
これにより、乳幼児が転倒保護リュック１００を背負った状態で、後方側に倒れたとしても、クッション部本体１１０の頭部１１１及び後頭部保護部１１７によって乳幼児の後頭部を保護することができる。また、胴体部１１２によって乳幼児の背部を保護することができる。
【００３６】
肩紐１２０は、乳幼児がクッション部本体１１０を背負うことができるように、クッション部本体１１０と乳幼児の背中とが接する面の左右に設けられている。肩紐１２０の形状は、乳幼児がクッション部本体１１０を背負うことができる形状であれば、どのような形状であってもよい。本実施の形態では、乳幼児の肩への食い込みを和らげるために、肩紐１２０は帯状体の形状で形成されている。なお、肩紐１２０は、クッション部本体１１０を背負うことができればよく、肩紐１２０の１本の肩紐１２０で背負ってもよい。
【００３７】
また肩紐１２０は、肩紐連結手段１２１によってクッション部本体１１０と着脱自在に連結される。肩紐連結手段１２１は、クッション部本体１１０と肩紐１２０とが着脱自在に連結することができ、乳幼児がクッション部本体１１０を背負った状態で肩紐連結手段が解除されることなく安全に背負うことができれば、どのような形状で形成することもできる。
【００３８】
肩紐連結手段１２１によってクッション部本体１１０と肩紐１２０とが着脱自在に連結されることで、肩紐１２０を取り外せば、クッション部本体１１０を縫いぐるみとして使用することができる。また肩紐１２０を取り付けることで収容部１１６に収容物を収容できるリュックとして使用することができる。
【００３９】
またクッション部本体１１０を縫いぐるみとして利用する場合には、肩紐１２０を取外ことができるので、肩紐１２０が乳幼児に絡まってしまうことがない。これにより、肩紐１２０が乳幼児の足に絡まることで生じる転倒事故や、肩紐１２０が乳幼児の首に絡まることで生じる窒息事故を未然に防ぐことができる。
【００４０】
またクッション部本体１１０に肩紐１２０を取り付けてリュックとして使用する場合には、後頭部保護部１１７がクッション部本体１１０に備えられているため、万が一乳幼児が転倒した場合にでも乳幼児の後頭部を保護することができる。
【００４１】
なお、肩紐連結手段１２１は、クッション部本体１１０の任意の場所、たとえば肩紐連結手段１２１Ｂをクッション部本体１１０であるクマの脇部に設けるなどができ、さらに複数箇所に設けることができる。具体的に本実施の形態では、肩紐１２０の下端側が着脱自在に連結される肩紐連結手段１２１Ａが、胴体部１１２と脚部１１４との接合部付近にそれぞれ設けられている。
【００４２】
また肩紐１２０の上端側が着脱自在に連結される肩紐連結手段１２１Ｂが、頭部１１１と胴体部１１２との接合部付近にそれぞれ設けられている。さらに、頭部の上部付近に肩紐１２０の上端側が着脱自在に連結される肩紐連結手段１２１Ｃが設けられている。
【００４３】
これにより、肩紐１２０の上端側を連結する肩紐連結手段１２１を、乳幼児の成長に合わせて肩紐連結手段１２１Ｂと肩紐連結手段１２１Ｃとを選択して連結して使用することができる。
【００４４】
具体的には、乳幼児がまだ小さいうちは、肩紐連結手段１２１Ａ及び肩紐連結手段１２１Ｂを使用して肩紐１２０をクッション部本体１１０に連結する。
また乳幼児の身体が成長に伴って大きくなってきたら、肩紐連結手段１２１Ａ及び肩紐連結手段１２１Ｃを使用して肩紐１２０をクッション部本体１１０に連結する。これにより、乳幼児が小さいうちから、大きくなるまで長期に渡って転倒保護リュック１００を使用することができる。
【００４５】
なお、肩紐連結手段１２１Ａ及び肩紐連結手段１２１Ｃを使用して肩紐１２０をクッション部本体１１０に連結した場合、乳幼児の頭が後頭部保護部１１７よりも上部に突出することになる。
【００４６】
しかし、成長に伴って身体と頭部の大きさとの重さの差異も小さくなってくるので、後ろに倒れることも少なくなっていくことになる。このため、後頭部保護部１１７の必要性も少なくなるので、乳幼児が転倒時に後頭部を打って大怪我をする可能性は少なくなる。
【００４７】
また、肩紐１２０は、肩紐連結手段１２１を介してクッション部本体１１０と連結する位置によって、肩紐１２０の長さを調節できる長さ調節機構１２２を設けることができる。長さ調節機構１２２は、たとえばラダーロックである。
【００４８】
なお、長さ調節機構１２２を設けることで、肩紐１２０の長さを調節できるため、肩紐連結手段１２１Ｂと肩紐連結手段１２１Ｃのうち、いずれか一方を省略することもできる。
【００４９】
たとえば、肩紐連結手段１２１Ａ及び肩紐連結手段１２１Ｂのみがクッション部本体１１０に設けられており、肩紐１２０は、肩紐連結手段１２１Ａ及び肩紐連結手段１２１Ｂを介してクッション部本体１１０に連結される。また肩紐１２０は、長さ調節機構１２２によって肩紐１２０の長さを調節することができる。これにより、乳幼児が小さいうちから、大きくなるまで長期に渡って転倒保護リュック１００を使用することができる。
【００５０】
備品連結手段１３０は、たとえば乳幼児が使用する、おしゃぶり、タオル、ガラガラなどの備品を連結するためのものである。備品連結手段１３０は、たとえば環状の連結具であって、本実施の形態では、クマの腕部１１３の先端に設けられる。
【００５１】
このクマの腕部１１３の先端、つまりクマの手の部分に、おしゃぶり、タオル、ガラガラなどの備品を連結することで、あたかもクマが備品を持ってくれているかのように見せることができる。備品連結手段１３０の材質は、乳幼児が転倒した際に怪我がないように、シリコン樹脂材のような柔軟性を有する材質で形成するとよい。
【００５２】
図２は、小さな乳幼児が背負うために、肩紐をクッション部本体に連結した様子を示す背面側からの斜視図である。
図２に示すように、肩紐１２０の下端側が肩紐連結手段１２１Ａによって、胴体部１１２と脚部１１４との接合部付近に連結されている。
【００５３】
具体的な肩紐連結手段１２１Ａの連結例を挙げると、胴体部１１２と脚部１１４との接合部付近に環状のリング部材が固定されている。また、肩紐１２０の下端部は、肩紐１２０の下端が折り返され、折返された肩紐１２０の下端部の内側面同士を着脱可能に接合する留め具、具体的にはスナップボタンが設けられている。
【００５４】
この肩紐１２０の下端を、胴体部１１２と脚部１１４との接合部付近に固定されたリング部材に貫通させて折返し、留め具であるスナップボタンを結合する。これにより、肩紐１２０の下端は、胴体部１１２と脚部１１４との接合部付近に設けられた環状のリング部材に結合することができる。
【００５５】
また肩紐１２０の下端を取り外す際は、結合していた留め具であるスナップボタンを取り外し、胴体部１１２と脚部１１４との接合部付近に取り付けられた環状のリング部材に貫通させて折り返していた肩紐１２０の下端を取り外す。
【００５６】
同じように、肩紐１２０の上端側は肩紐連結手段１２１Ｂによって、頭部１１１と胴体部１１２との接合部付近に連結される。
具体的な肩紐連結手段１２１Ｂの連結例を挙げると、頭部１１１と胴体部１１２との接合部付近に環状のリング部材が固定されている。また、肩紐１２０の上端部は、肩紐１２０の上端が折り返され、折返された肩紐１２０の上端部の内側面同士を着脱可能に接合する留め具、具体的にはスナップボタンが設けられている。
【００５７】
この肩紐１２０の上端を、頭部１１１と胴体部１１２との接合部付近に固定されたリング部材に貫通させて折返し、留め具であるスナップボタンを結合する。これにより、肩紐１２０の上端は、頭部１１１と胴体部１１２との接合部付近に設けられた環状のリング部材に結合することができる。
【００５８】
また肩紐１２０の上端を取り外す際は、結合していた留め具であるスナップボタンを取り外し、頭部１１１と胴体部１１２との接合部付近に取り付けられた環状のリング部材に貫通させて折り返していた肩紐１２０の上端を取り外す。
【００５９】
これにより、肩紐１２０の下端側は、肩紐連結手段１２１Ａによって、また肩紐１２０の上端側は、肩紐連結手段１２１Ｂによってクッション部本体１１０と着脱自在に連結することができる。すなわち肩紐１２０は肩紐連結手段１２１によって、肩紐１２０とクッション部本体１１０とを着脱自在に連結することができる。
【００６０】
図２のように、肩紐１２０をクッション部本体１１０に連結することで、乳幼児がクッション部本体１１０を背負うと、肩紐１２０の上端がクッション部本体１１０に連結された位置に乳幼児の肩があてられる。これにより、乳幼児の後頭部は肩紐連結手段１２１Ｂの上部にある後頭部保護部１１７によって保護される。
【００６１】
なお、肩紐連結手段１２１の連結方法は、肩紐１２０とクッション部本体１１０とを着脱自在に連結することができれば他の方法で連結してもよい。たとえば、頭部１１１と胴体部１１２との接合部付近や胴体部１１２と脚部１１４との接合部付近に設けていたリング部材の代わりに環状の帯体であるタブを形成する。
【００６２】
このタブに、スナップボタンのメス側を固定し、肩紐１２０の上端側又は下端側に、スナップボタンのオス側を固定する。これらのスナップボタンを結合することで、肩紐１２０とクッション部本体１１０とを着脱自在に連結することができる。また、肩紐１２０の上下端部にもうけたナス環などのフック材を設け、クッション部本体１１０に設けたタブに連結することもできる。
【００６３】
図３は、大きく成長した乳幼児が背負うために、肩紐をクッション部本体に連結した様子を示す背面側からの斜視図である。
図３に示すように、肩紐１２０の下端側は肩紐連結手段１２１Ａによって、胴体部１１２と脚部１１４との接合部付近に着脱自在に連結されている。肩紐連結手段１２１Ａによる連結方法は図２と同様のため、ここでは説明を省略する。
【００６４】
肩紐１２０の上端側は肩紐連結手段１２１Ｃによって、頭部１１１と胴体部１１２との接合部付近に着脱自在に連結される。
具体的な肩紐連結手段１２１Ｃの連結例を挙げると、頭部１１１の上端付近に環状のリング部材が固定されている。また、肩紐１２０の上端部は、肩紐１２０の上端が折り返され、折返された肩紐１２０の上端部の内側面同士を着脱可能に接合する留め具、具体的にはスナップボタンが設けられている。
【００６５】
この肩紐１２０の上端を、頭部１１１の上端付近に固定されたリング部材に貫通させて折返し、留め具であるスナップボタンを結合することで、肩紐１２０の上端は、頭部１１１の上端付近に設けられた環状のリング部材に結合することができる。
【００６６】
また肩紐１２０の上端を取り外す際は、結合していた留め具であるスナップボタンを取り外し、頭部１１１の上端付近に取り付けられた環状のリング部材に貫通させて折り返していた肩紐１２０の上端を取り外す。
【００６７】
これにより、肩紐１２０の下端側は、肩紐連結手段１２１Ａによって、また肩紐１２０の上端側は、肩紐連結手段１２１Ｃによってクッション部本体１１０と肩紐１２０とを着脱自在に連結することができる。すなわち肩紐１２０は肩紐連結手段１２１によって、クッション部本体１１０と着脱自在に連結することができる。
【００６８】
図３のように、肩紐１２０をクッション部本体１１０に着脱自在に連結することで、成長した乳幼児がクッション部本体１１０を背負うと、肩紐１２０の上端が頭部１１１の上端に連結された位置に乳幼児の肩があてられる。
【００６９】
これにより、成長した乳幼児の後頭部は後頭部保護部１１７よりも上方に突出することになる。しかし、成長に伴って身体と頭部の大きさとの重さの差異も小さくなってくるため、後ろに倒れることも少なくなる。このため、後頭部保護部１１７の必要性も少なくなるので、成長した乳幼児の後頭部が後頭部保護部１１７よりも上方に突出していても問題はない。
【００７０】
図２、及び図３のように、肩紐１２０の上端側を着脱自在に連結する肩紐連結手段１２１を、乳幼児の成長に合わせて肩紐連結手段１２１Ｂと肩紐連結手段１２１Ｃとを選択して連結して使用することができる。
【００７１】
たとえば、乳幼児がまだ小さいうちは、肩紐連結手段１２１Ａ及び肩紐連結手段１２１Ｂを使用して肩紐１２０を連結する。また乳幼児の身体が成長に伴って大きくなってきたら、肩紐連結手段１２１Ａ及び肩紐連結手段１２１Ｃを使用して肩紐１２０を連結する。これにより、乳幼児が小さいうちから、大きくなるまで長期に渡って転倒保護リュック１００を使用することができる。
【００７２】
なお、図３では、肩紐連結手段１２１の一例として、一部にＺカンを使用して肩紐１２０とクッション部本体１１０とを連結する例で図示した。ここでいうＺカンとは、一端側に設けられた穴に肩紐１２０が挿入されて連結される穴部と、クッション部本体１１０に設けられた環状の帯体であるタブに引っ掛けるために、他端側に設けられた鉤状の鉤部とを備えるものである。
【００７３】
肩紐連結手段１２１としてＺカンを使用することで、クッション部本体１１０に設けられたタブに鉤部を引っ掛けるだけで容易に肩紐１２０とクッション部本体１１０とを連結することができる。
【００７４】
また、図３のように、乳幼児の肩と接触する肩紐連結手段１２１Ｂ又は肩紐連結手段１２１Ｃを、クッション部本体１１０に設けられたリング部材に肩紐１２０を連結させて留め具で固定する連結方式、また、肩紐連結手段１２１ＡにＺカンを介してタブに肩紐１２０を連結する方式を採用することで、乳幼児の肩への負担をやわらげ、さらに容易に肩紐１２０とクッション部本体１１０とを連結することができる。
【００７５】
さらに、転倒保護リュック１００は、乳幼児の肩に装着された肩紐１２０が、肩からズレ落ちないようにするために、左右の肩紐１２０を乳幼児の胸部にあたる位置で連結する胸部固定ベルト１２３を備えることができる。
【００７６】
胸部固定ベルト１２３は、左右の肩紐１２０にそれぞれ設けられた帯体を、たとえばスナップボタンのような留め具で連結される。転倒保護リュック１００を乳幼児の装着する際には、胸部固定ベルト１２３に設けられた留め具と取り外した状態で装着する。
【００７７】
また、転倒保護リュック１００を乳幼児に装着したら、胸部固定ベルト１２３に設けられた留め具によって、左右の肩紐１２０にそれぞれ設けられた帯体を連結して固定する。これにより、肩紐１２０が装着した乳幼児の肩からズレ落ちてしまうことを防止することができる。
【００７８】
なお、胸部固定ベルト１２３は、胸部固定ベルト１２３の長さを乳幼児の身体に合わせて調節する長さ調節機構を備えることができる。さらに、転倒保護リュック１００は、左右の肩紐１２０を乳幼児の腹部にあたる位置で連結する腹部固定ベルトを備えてもよい。
【００７９】
図４は、備品連結手段に備品を連結した状態を示す正面図である。
図４に示すように、備品連結手段１３０は、たとえば乳幼児が使用する、おしゃぶり、タオル、ガラガラなどの備品２００を連結するためのものである。
【００８０】
このように、クマの手に当たる部分に、シリコン樹脂材のような柔軟性を有する材質で形成した備品連結手段１３０を設けることで、あたかもクマが備品２００を持ってくれているかのように見せることができる。
【００８１】
図５は、リュックが有する収容部に収容物を収容する様子を示す背面側からの斜視図である。
図５に示すように、クッション部本体１１０は、たとえば線ファスナー、面ファスナー、ボタンなどの留め具によって自在に開閉できる開閉部１１５を備えている。開閉部１１５からクッション部本体１１０の内側に接続された袋状の収容部１１６が設けられている。
【００８２】
収容部１１６には、保護者の選択によって任意のものが収容できる。たとえば乳幼児に必要な、おしゃぶり、タオル、ガラガラ、オムツ、哺乳瓶などの備品２００を収容し、それらを収容した転倒保護リュック１００を乳幼児に背負わせることで、子供の自立心を育てることができる。
【００８３】
また、特に収容物がない場合は、クッション部本体１１０に充填されているものと同様のクッション材１４０を出し入れ自在に収容することができる。このように収容部１１６にクッション材１４０を収容することで、クッション部本体１１０の全体の形状が丸みを帯び、縫いぐるみ自体の可愛らしさを向上することができる。また、クッション材１４０によって柔軟性が増加することで、転倒時の衝撃をより和らげることができる。
【００８４】
図６は、肩紐を取り外した状態のリュックを示す正面図、及び背面側からの斜視図である。
図６に示すように、肩紐１２０は、肩紐連結手段１２１によってクッション部本体１１０と着脱自在に連結されるため、肩紐１２０をクッション部本体１１０から取り外すことができる。これにより転倒保護リュック１００を縫いぐるみとして乳幼児に抱かせたり、遊ばせたりすることができる。
【００８５】
また、転倒保護リュック１００を縫いぐるみとして利用する場合には、肩紐１２０を取り外すことができるので、肩紐１２０が乳幼児の首に絡まって締め付けるような事故が起こることがない。
【００８６】
図７は、肩紐連結手段の詳細を示す背面側からの斜視図である。
図７に示すように、クッション部本体１１０は、クッション部本体１１０に固定された肩紐連結手段１２１を収容するための肩紐連結手段収容部１２４を備えることができる。
【００８７】
本実施の形態では、肩紐連結手段１２１を、クッション部本体１１０に固定された環状のリング部材に、肩紐１２０を連結する例で説明した。
ところが、この場合、転倒保護リュック１００を縫いぐるみとしてする際に、クッション部本体１１０に固定された環状のリング部材が露出しており、リング部材が何かに引っかかって乳幼児が転倒する可能性も考えられる。
【００８８】
そこで、肩紐１２０を取り外した際に、クッション部本体１１０に残された肩紐連結手段１２１を、クッション部本体１１０の内部に収容するための肩紐連結手段収容部１２４を備えることができる。
【００８９】
肩紐連結手段収容部１２４は、肩紐連結手段１２１であるリング部材を収容できる大きさのポケットである。この肩紐連結手段収容部１２４に肩紐連結手段１２１であるリング部材を収容することで、肩紐連結手段１２１であるリング部材がクッション部本体１１０の外側に露出することがなくなる。
【００９０】
これにより、肩紐連結手段１２１が何かに引っかかって乳幼児が転倒する事故を未然に防ぐことができる。また、肩紐連結手段１２１がクッション部本体１１０に残されないので、転倒保護リュック１００を縫いぐるみとして利用する際の審美性を向上することができる。
【００９１】
他に、クッション部本体１１０に固定された肩紐連結手段１２１が、前述のタブの場合には、同様にタブを収容できるポケット状の肩紐連結手段収容部１２４を形成し、その肩紐連結手段収容部１２４にタブを収容するとよい。
【００９２】
図８は、肩紐連結手段収容部に肩紐連結手段を収容した状態を示す正面図、及び背面側からの斜視図である。
図８に示すように、肩紐連結手段収容部１２４に肩紐連結手段１２１であるリング部材を収容することで、肩紐連結手段１２１であるリング部材がクッション部本体１１０の外側に露出することがなくなる。
【００９３】
これにより、肩紐連結手段１２１が何かに引っかかって乳幼児が転倒する事故を未然に防ぐことができる。また、肩紐連結手段１２１がクッション部本体１１０に残されないので、転倒保護リュック１００を縫いぐるみとして利用する際の審美性を向上することができる。
【００９４】
本実施の形態の転倒保護リュック１００は、上記のように、乳幼児が転倒した際に、後頭部を保護することができ、また大きく成長した乳幼児が収容物を収容して背負えるリュックとして使用することができる。
【００９５】
また、縫いぐるみとして使用することができるので、乳幼児の遊び道具として安全に使用することができ、また、縫いぐるみは大人も使用することができるので、乳幼児時代の大切な思い出の品として、縫いぐるみを長年に渡って使用することができる。
【００９６】
また、上記の実施の形態に関し、さらに以下の付記を開示する。
（付記１）
背負うことで転倒時における乳幼児の後頭部を保護する転倒保護具において、
前記乳幼児の背面側から背負われた状態で少なくとも前記乳幼児の背面及び後頭部を覆い、人型もしくは動物型を模した外観形状を有したクッション部本体と、
前記クッション部本体を前記乳幼児に固定するための肩紐を、着脱自在に連結するための肩紐連結手段と、
を備えることを特徴とする転倒保護具。
（付記２）
前記肩紐連結手段は、
前記乳幼児の身体の大きさに合わせて、前記肩紐と前記クッション部本体とを連結する位置を変更可能な少なくとも２箇所に設けられること、
を特徴とする付記１記載の転倒保護具。
（付記３）
前記肩紐は、
前記肩紐の長さを調節するための長さ調節機構、
を備えることを特徴とする付記１記載の転倒保護具。
（付記４）
前記肩紐連結手段は、
前記クッション部本体に設けられた環状の環状体と、
前記肩紐の端部を前記環状体にくぐらせて、前記肩紐同士を結合する留め具と、
を備えることを特徴とする付記１記載の転倒保護具。
（付記５）
前記肩紐連結手段は、
前記クッション部本体に設けられた連結具と、
前記肩紐に設けられた被連結具と、
を備え、
前記クッション部本体の内部に前記連結具を収容する連結具収容部、
を備えることを特徴とする付記１記載の転倒保護具。
（付記６）
前記肩紐連結手段は、
前記クッション部本体に設けられた環状の環状体と、
一端側に設けられた穴に前記肩紐の端部が連結される穴部と、前記環状体に引っ掛けられ、他端側に設けられた鉤状の鉤部と、を備えるＺカンと、
を備えることを特徴とする付記１記載の転倒保護具。
（付記７）
前記肩紐は、
前記肩紐連結手段を介して、左右一対にして前記クッション部本体に連結され、
左右一対にして連結された前記肩紐を連結して固定する固定ベルト、
を備えることを特徴とする付記１記載の転倒保護具。
（付記８）
前記クッション部本体と、前記乳幼児の後頭部とが接触する位置に設けられて、前記乳幼児の後頭部を支える後頭部保護部、
を備えることを特徴とする付記１記載の転倒保護具。
（付記９）
前記後頭部保護部は、
円形又はドーナツ状のクッション材であること、
を特徴とする付記８記載の転倒保護具。
（付記１０）
前記後頭部保護部は、
前記人型もしくは動物型を模した外観形状のうち、頭部にあたる部位に設けられること、
を特徴とする付記８記載の転倒保護具。
（付記１１）
前記クッション部本体は、
内部に収容物を収容するための収容部、
を備えることを特徴とする付記１記載の転倒保護具。
（付記１２）
前記収容部に収容される、柔軟性を備えた充填材、
を備えることを特徴とする付記１１記載の転倒保護具。
（付記１３）
前記収容部は、
前記人型もしくは動物型を模した外観形状のうち、腹部にあたる部位に設けられること、
を特徴とする付記１１記載の転倒保護具。
（付記１４）
前記乳幼児が使用する備品を前記クッション部本体に連結するための備品連結手段、
を備えることを特徴とする付記１記載の転倒保護具。
（付記１５）
前記備品連結手段は、
前記人型もしくは動物型を模した外観形状のうち、手足にあたる部分に設けられること、
を特徴とする付記１４記載の転倒保護具。
（付記１６）
乳幼児が使用する縫いぐるみにおいて、
前記乳幼児の背面側から背負われた状態で少なくとも前記乳幼児の背面及び後頭部を覆い、人型もしくは動物型を模した外観形状を有した縫いぐるみ本体と、
前記縫いぐるみ本体を前記乳幼児に固定するための肩紐を、着脱自在に連結するための肩紐連結手段と、
を備えることを特徴とする縫いぐるみ。
（付記１７）
転倒時における乳幼児の後頭部を保護する転倒保護方法において、
前記乳幼児の背面側から背負われた状態で少なくとも前記乳幼児の背面及び後頭部を人型もしくは動物型を模した外観形状を有したクッション部本体が覆う工程と、
前記クッション部本体を前記乳幼児に固定するための肩紐を、着脱自在に肩紐連結手段が連結する工程と、
を備えることを特徴とする転倒保護方法。
（付記１８）
乳幼児が使用する縫いぐるみの製造方法において、
前記乳幼児の背面側から背負われた状態で少なくとも前記乳幼児の背面及び後頭部を覆い、人型もしくは動物型を模した外観形状を有した縫いぐるみ本体を形成する工程と、
前記縫いぐるみ本体を前記乳幼児に固定するための肩紐を、着脱自在に連結するための肩紐連結手段を設ける工程と、
を備えることを特徴とする縫いぐるみの製造方法。
【符号の説明】
【００９７】
１００  リュック
１１０  クッション部本体
１１１  頭部
１１２  胴体部
１１３  腕部
１１４  脚部
１１５  開口部
１１６  収容部
１１７  後頭部保護部
１２０  肩紐
１２１、１２１Ａ、１２１Ｂ、１２１Ｃ  肩紐連結手段
１２２  調節機構
１２３  胸部固定ベルト
１２４  肩紐連結手段収容部
１３０  備品連結手段
１４０  クッション材
２００  備品
【図１】
0003228838.tif 000003
【図２】
0003228838.tif 000004
【図３】
0003228838.tif 000005
【図４】
0003228838.tif 000006
【図５】
0003228838.tif 000007
【図６】
0003228838.tif 000008
【図７】
0003228838.tif 000009
【図８】
0003228838.tif 000010